(57)【要約】  噴射方向が下方である場合でも、屈むことなく楽な姿勢で噴霧作業を行うことができるとともに、手指等への内容物の付着を防止することができる噴射装置を提供する。  エアゾール噴射装置１０は、一端側に内容物を噴射するノズルボタン４０を有するエアゾール容器１４が外装カバー１１内に収容されている。外装カバー１１は、収容したエアゾール容器１４の他端近傍に操作部１５を備え、噴射操作時に外装カバー１１内に収容したエアゾール容器１４を長手方向に沿って下方に移動させることで、ノズルボタン４０から内容物を噴射させる。操作部１５がノズルボタン４０の反対側に配置されているので、下方向への噴射、特に鉛直下方への噴射の場合、エアゾール容器１４を傾ける必要がない。使用時は、外装カバー１１上端の操作部１５を持って下端のノズルボタン４０から内容物を噴射させる。
2012039356.tif 000002
【特許請求の範囲】
【請求項１】
一端側に内容物を噴射する噴射部を有する容器を外装カバー内に収容する噴射装置であって、
前記外装カバーは、収容した前記容器の他端近傍に操作部を備え、噴射操作時に該カバー内に収容した前記容器を、該容器の長手方向に沿って移動させることで前記噴射部から内容物を噴射させることを特徴とする噴射装置。
【請求項２】
前記外装カバーは、前記操作部を有する第１カバーと、前記噴射部を収容する第２カバーとから成り、該第１カバーと該第２カバーとは分離自在であることを特徴とする請求項１に記載の噴射装置。
【請求項３】
前記容器は、充填された内容物を噴射するバルブステムを有するエアゾール容器であり、
前記噴射部は、該エアゾール容器の上端部に取り付けられ、内容物を噴射するノズルを中心に有し、前記バルブステムを包囲するノズルボタンであることを特徴とする請求項１に記載の噴射装置。
【請求項４】
前記操作部は、前記第１カバーに配置されたグリップと、噴射操作時に押下する押ボタンと、該ボタンの端部に回動自在に連結され、噴射操作時に前記容器の底部に押圧力を加える作動レバーと、を備えていることを特徴とする請求項１〜３のいずれか一項に記載の噴射装置。
【請求項５】
前記グリップは、前記押ボタンを移動可能に収容するボタン収容部を有するとともに、該押ボタンの移動をロックするロック機構を備えていることを特徴とする請求項４に記載の噴射装置。
【請求項６】
前記作動レバーは、前記容器の底部に接触して押圧力を加える押圧部を有することを特徴とする請求項４に記載の噴射装置。
【請求項７】
前記第２カバーは、前記噴射部の少なくとも先端部を露出させるノズル孔と、前記噴射部を位置決めするノズル収容部と、を有することを特徴とする請求項２に記載の噴射装置。
【請求項８】
前記外装カバーは、収容した前記容器の移動を阻止する安全ピンを備えていることを特徴とする請求項１〜７のいずれか一項に記載の噴射装置。
【発明の詳細な説明】
【技術分野】
【０００１】
本発明は、内容物を噴射させる容器を内部に収容した噴射装置に関する。
【背景技術】
【０００２】
従来から噴射装置の一例として、消臭剤や殺虫剤等の内容物を噴射口から外部へ噴射させるエアゾール噴射装置が知られている。一般的なエアゾール噴射装置は、エアゾール容器に装着されるキャップ本体と、使用時に操作してステムを押下する操作レバーと、キャップ本体と一体に形成され、ステムから噴出された内容物を噴射口へ案内するボタンと、を有している（例えば、特許文献１参照）。
【先行技術文献】
【特許文献】
【０００３】
【特許文献１】日本国特開２００８−３７４５５号公報
【発明の概要】
【発明が解決しようとする課題】
【０００４】
しかしながら、特許文献１に記載のエアゾール噴射装置は、エアゾール容器の長手方向と交差する方向に噴射口が向いており、対象物が下方にある場合、特に噴射口を足元へ向けて噴射させる場合は、エアゾール容器全体を傾けた状態で操作レバーを操作する必要がある。したがって、操作者は上体を屈みながら操作する必要があり、屈んだ姿勢で噴霧作業を行うのは大きな負担となっていた。【０００５】
また、操作レバーが内容物の噴射する噴射口に近いため、噴射や液垂れした内容物が操作者の手指等に付着する可能性が高かった。【０００６】
また、下方に噴射させ易く、手指等に内容物が付着し難いように、噴口部に細長いノズルを取り付けたエアゾール噴射装置が知られている。しかしながら、このような噴射装置では、ノズル内に残留した内容物によるアフタードローが発生するなど使用後に容器や周囲を汚染する可能性があった。また、窒素などの圧縮ガスを用いた場合には、噴射のパターンが安定しないことや、アフタードローがより酷くなるなど実用に適さないという問題があった。【０００７】
本発明は、前記課題を解決するためになされたものであって、噴射方向が下方である場合でも、屈むことなく楽な姿勢で噴霧作業を行うことができるとともに、手指等への内容物の付着を防止することができる噴射装置を提供することにある。
【課題を解決するための手段】
【０００８】
上記課題を解決することができる本発明に係る噴射装置は、一端側に内容物を噴射する噴射部を有する容器を外装カバー内に収容する噴射装置であって、外装カバーは、収容した容器の他端近傍に操作部を備え、噴射操作時に該カバー内に収容した前記容器を該容器の長手方向に沿って移動させることで噴射部から内容物を噴射させることを特徴としている。【０００９】
前記構成の噴射装置によれば、外装カバーは、一端側に噴射部を有する容器を収容することで、噴射操作時に操作する操作部が容器の他端近傍に配置される。噴射操作時は、噴射部の反対側にある操作部を操作することで、例えば、押圧力を容器底部から加えて、容器の長手方向に沿って容器自体を移動させることができる。これにより、容器内の内容物を噴射部から噴射させることができる。このときの移動量は、例えば、容器がエアゾール容器の場合、容器上端のバルブステムを閉状態から開状態にできる距離である。
したがって、操作部が噴射部の反対側に配置されるので、下方向への噴射、特に鉛直下方への噴射の場合、容器を傾ける必要がなく、外装カバー上端の操作部を持って下端の噴射部から内容物を容易に噴射させることができる。また、操作部が噴射部から離れているため、内容物が操作者の手指等に直接接触するようなことはなく、操作性の良好な噴射装置を得ることができる。
なお、外装カバーは、少なくとも容器の噴射部を位置決めでき、容器を保護できる所定強度を確保できれば、容器を完全に覆い隠す必要はなく、容器を露出させることも可能である。また、外装カバーを透明材料で形成することも可能である。【００１０】
本発明に係る噴射装置は、上記外装カバーが操作部を有する第１カバーと、噴射部を収容する第２カバーとから成り、該第１カバーと第２カバーとは分離自在であることを特徴としている。【００１１】
前記構成の噴射装置によれば、例えば、外装カバーの中間部分で第１カバーと第２カバーを分離可能な構成にすることで、第２カバーに容器の噴射部側から収容して、上方から第１カバーを被せることで、容易に容器を外装カバー内に収容することができる。このときの結合構造は、ねじ込みによる螺合や突起と係止孔による嵌合など様々な形態を選択することができる。また、第１カバー及び第２カバーの形状例としては、例えば、第１カバーは有蓋の筒形状で、第２カバーは有底の筒形状を選択できるが、この形状に限定されるものではない。【００１２】
本発明に係る噴射装置は、上記容器が内容物を噴射するバルブステムを有するエアゾール容器であり、上記噴射部が該エアゾール容器の上端部に取り付けられ、内容物を噴射するノズルを中心に有し、バルブステムを包囲するノズルボタンであることを特徴としている。【００１３】
前記構成の噴射装置によれば、中心にノズルを有するノズルボタンがバルブステムを包囲するようにエアゾール容器に装着されることで、特に地面や床面上の害虫等の対象物に有効である。具体的には、その対象物の真上に外装カバーの下端を配置して操作部を操作することで、ノズルボタンのノズルから消臭剤や駆除剤等の内容物を、操作者が立ったままの楽な姿勢で容易に噴射することができる。
なお、エアゾール容器の他に、噴射剤を充填しないで内容物を吐出できる噴霧容器等にも適用することができる。
また、ノズルボタンを交換することで、噴射部の構成を変えることができ、噴射パターンや噴射量をコントロールできるとともに、液化ガスや圧縮ガスなど異なる噴射剤にも対応可能である。【００１４】
本発明に係る噴射装置は、上記操作部が第１カバーに配置されたグリップと、噴射操作時に押下する押ボタンと、該ボタンの端部に回動自在に連結され、噴射操作時に容器の底部に押圧力を加える作動レバーと、を備えていることを特徴としている。【００１５】
前記構成の噴射装置によれば、操作者がグリップを握って、例えば親指で押ボタンを押下することで、押ボタンに回動自在に連結された作動レバーが揺動して容器底部に押圧力を加える。これにより、容器自体を長手方向の第２カバー側に移動させ、この移動により容器上部の噴射部が作動して内容物を噴射させる。
具体的には、押ボタンは、グリップの基端部内に、例えば弾性部材を介して第１カバーの長手方向に沿って摺動自在に配置されている。押ボタンの下端に作動レバーの一端が回動自在に連結され、作動レバーの他端が第１カバー内に回動自在に連結されている。このような連結機構により、作動レバーは他端を支点にして、第１カバー内で第１カバーの長手方向に沿って揺動する。この揺動時に、作動レバーの所定部位が容器底部に接触して容器自体を移動させることができる。【００１６】
本発明に係る噴射装置は、上記グリップが押ボタンを移動可能に収容するボタン収容部を有するとともに、該押ボタンの移動をロックするロック機構を備えていることを特徴としている。【００１７】
前記構成の噴射装置によれば、グリップ内にボタン収容部が設けられているので、ボタン収容部内で押ボタンの安定した移動が可能となり、操作部のコンパクト化と操作性の向上を図ることができる。
また、グリップ自体に押ボタンの移動をロックするロック機構を備えているので、非使用時の押ボタンの誤作動を確実に防止することができるとともに、ロック操作及びロック解除操作をスムースに行うことができる。また、このロック機構は、容器内の残留ガス抜きを行うときにも使用することができる。この場合、押ボタンを押下したままの状態でロックすることになる。【００１８】
本発明に係る噴射装置は、上記作動レバーが容器の底部に接触して押圧力を加える押圧部を有することを特徴としている。【００１９】
前記構成の噴射装置によれば、容器底部に押圧力を加える押圧部が作動レバーに設けられているので、確実に容器を所定量だけ移動させることができる。【００２０】
本発明に係る噴射装置は、上記第２カバーが噴射部の少なくとも先端部を露出させるノズル孔と、前記噴射部を位置決めするノズル収容部と、を有することを特徴としている。【００２１】
前記構成の噴射装置によれば、容器の噴射部が第２カバーの底部のノズル収容部で位置決めされるとともに、内容物を噴射する噴射部のノズル先端部がノズル孔から露出される。これにより、容器を第２カバー内の所定位置に確実にセットすることができ、安定した容器の移動に伴い良好な噴射状態を得ることができる。【００２２】
本発明に係る噴射装置は、上記外装カバーが収容した容器の移動を阻止する安全ピンを備えていることを特徴としている。【００２３】
前記構成の噴射装置によれば、安全ピンは、外装カバー内に収容した容器が搬送中に移動して誤噴射されるのを防止するためのものであり、使用前にこの安全ピンを取り外すことで使用が可能となる。
【発明の効果】
【００２４】
本発明に係る噴射装置によれば、噴射方向が下方である場合でも、屈むことなく楽な姿勢で噴霧作業を行うことができるとともに、手指等への内容物の付着を防止することができる。
【図面の簡単な説明】
【００２５】
【図１】本発明に係る噴射装置の一実施形態を示す上方斜視図である。
【図２】図１の第１カバーの斜視図である。
【図３】図１の第２カバーの斜視図である。
【図４】図１の下方斜視図である。
【図５】図１の部分断面斜視図である。
【図６】図４の部分断面斜視図である。
【図７】図５のＡ矢視断面図である。
【図８】図４のノズルボタンを示し、（ａ）は平面図であり、（ｂ）は側面図である。
【図９】図５の作動状態を示す断面図である。
【発明を実施するための形態】
【００２６】
以下、本発明に係る噴射装置の一実施形態としてエアゾール噴射装置に適用した場合を図１〜図９に基づいて説明する。
【００２７】
図１に示すように、本発明の一実施形態であるエアゾール噴射装置１０は、第１カバー１２と第２カバー１３から成る樹脂製の外装カバー１１内に充填された内容物を噴射する後述するエアゾール容器がバルブステムを下方へ向けた状態で収容されている。外装カバー１１は、第１カバー１２と第２カバー１３が分離自在である。
【００２８】
第１カバー１２の上部には、操作者が把持するグリップ１６と、噴射操作時に押下する押ボタン１７が配置されている。グリップ１６は、押ボタン１７の移動をロックするロック機構であるロックレバー２１を備えている。また、第２カバー１３は、エアゾール容器の噴射方向への移動を阻止する安全ピン３０を備えている。
【００２９】
図２及び図３に示すように、外装カバー１１における第１カバー１２と第２カバー１３の結合は、第２カバー１３の上方から第１カバー１２を被せてから押し込むことで行われる。詳しくは、第１カバー１２には、一対の係合孔３７が下方側壁の対向する位置に形成されている。また、第２カバー１３には、可撓性を有する一対の係合突起３８が上端側壁の対向する位置に形成されている。
【００３０】
先ず、第２カバー１３の容器収容部３９内にバルブステムを下方に向けたエアゾール容器を収容して、第１カバー１２を第２カバー１３の上方から被せる。次に、第２カバー１３の係合突起３８の位置に第１カバー１２の係合孔３７を位置合せして、さらに第１カバー１２を押し込むことで、係合突起３８が係合孔３７内に係合される。このとき、第１カバー１２の下端部が第２カバー１３の接合リブ４５に突き当たるとともに、係合孔３７と係合突起３８との係合音によって結合完了を確認できる。
【００３１】
また、外装カバー１１における第１カバー１２と第２カバー１３の離反は、一対の係合突起３８を内側方向に撓ませた状態で、第１カバー１２を引き抜くことで容易に行うことができる。
【００３２】
図４に示すように、エアゾール噴射装置１０は、第２カバー１３下部のカバー底部４２の中心にエアゾール容器先端のノズル部４１を露出させるノズル孔４３が形成されている。
【００３３】
図５に示すように、エアゾール噴射装置１０は、充填された内容物を噴射する噴射部４０を有するエアゾール容器１４を外装カバー１１内に逆さに収容した状態で使用する。即ち、エアゾール噴射装置１０は、エアゾール容器１４の一端の噴射部４０を下方へ向けた状態で、他端の底部１４ｂ近傍に操作部１５を備えている。噴射操作時は、この外装カバー１１内でエアゾール容器１４を該容器の長手方向（図中下方）に沿って微少移動させることで、内容物をノズル部４１から噴射させることができる。
【００３４】
操作部１５は、上述したグリップ１６及び押ボタン１７と、押ボタン１７の端部に回動自在に連結され、噴射操作時に容器底部１４ｂに押圧力を加える作動レバー１９と、を備えている。この操作部１５は、グリップ１６、押ボタン１７及び作動レバー１９が一体化された組付け状態で、第１カバー１２の上壁から側壁にかけて形成された装着孔２９から装着される。
【００３５】
グリップ１６は、押ボタン１７を移動可能に収容するボタン収容部１８を有している。このボタン収容部１８を形成する周壁の外側一面は下方に延出されており、その先端部分に第１グリップ固定片３１が形成されている。この第１グリップ固定片３１は、第１カバー１２の側壁に形成された第１固定孔２７に嵌入される。
【００３６】
また、ボタン収容部１８を形成する周壁のグリップ本体側の内側一面がＬ字状に屈曲しており、その先端部分に第２グリップ固定片３２が形成されている。この第２グリップ固定片３２は、第１カバー１２の上壁に形成された第２固定孔２８に嵌入される。
【００３７】
押ボタン１７は、操作者が接触するボタン本体２２と、ボタン本体２２の一端から延出され、先端近傍に突出した一対の第１連結ピン２５を有するボタン連結部２３と、から形成されている。
【００３８】
作動レバー１９は、容器底部１４ｂに接触して押圧力を加える押圧部３５を中間部分の下端に有している。また、作動レバー１９は、押ボタン１７側の一端に、ボタン連結部２３の第１連結ピン２５と回動自在に連結される係合孔を有する二股状のレバー連結部３３と、反対側の他端近傍に突出した一対の第２連結ピン３６と、を有している。
【００３９】
作動レバー１９は、一端のレバー連結部３３で押ボタン１７と回動自在に連結されているとともに、第１カバー１２の上壁内側に設けられたレバー固定片３４の嵌合孔に第２連結ピン３６が嵌合することで、第２連結ピン３６を中心に回動することができる。
【００４０】
図６に示すように、噴射部４０は、エアゾール容器１４の上端部のバルブステム１４ａ（図７参照）を包囲するように取り付けられ、中心にノズル部４１を一体的に有するノズルボタンである。また、第２カバー１３は、ノズルボタン４０先端のノズル部４１を露出させるノズル孔４３をカバー底部４２の中心に有するとともに、ノズルボタン４０を位置決めするノズル収容部４４を有している。
【００４１】
図７に示すように、押ボタン１７は、ボタン本体２２の側部に第１凹部２４ａと第２凹部２４ｂを有している。第１凹部２４ａは、非使用時にグリップ１６の両側面２６にスライド可能に装着されたロックレバー２１を図中左方向へスライド移動させて嵌入することで、押ボタン１７の作動方向への移動をロックする。また、ロック解除時は、ロックレバー２１を図中右方向へスライド移動させて第１凹部２４ａ内から外すことで解除することができる。
【００４２】
第２凹部２４ｂは、エアゾール容器１４の内容物を連続して噴射するときに使用する。この場合、押ボタン１７を押下したままの状態で、ロックレバー２１を図中左方向へスライド移動させて第２凹部２４ｂ内に嵌入することで、押ボタン１７を作動状態のままロックすることができる。この機構は、エアゾールを使い終わった際に容器内に残留したガスのガス抜きを行うときに使用することもできる。
【００４３】
安全ピン３０は、エアゾール容器１４の噴射方向である下方への移動を阻止して、搬送中に誤噴射するのを防止するためのものである。即ち、安全ピン３０が装着されている状態では、第２カバー１３の容器収容部３９内に入り込んだ安全ピン３０の一対の先端部にエアゾール容器１４のマウンティングカップ１４ｃの一部分が載っている。これにより、エアゾール容器１４の下方への移動が阻止され、押ボタン１７を押下することができない。使用時は、この安全ピン３０を取り外すことで通常使用が可能となる。
【００４４】
図８（ａ）及び図８（ｂ）に示すように、ノズルボタン４０は、中心にバルブステム１４ａ（図７参照）を包囲するノズル基部４１ａを有するノズル部４１を備えている。また、ノズルボタン４０は、エアゾール容器１４のマウンティングカップ１４ｃに取り付けるための容器装着部４６と、外装カバー１１とは別に詰め換え用のエアゾール容器１４に被せるカバー装着用のオーバカバー装着部４７と、を有している。
【００４５】
ノズルボタン４０は、ノズル部４１内に嵌入されたバルブステム１４ａを作動させるために、容器装着部４６の上端部に円弧状の隙間４９を介して一対の可撓部４８を有している。この可撓部４８は、一端が容器装着部４６の上端部に一体的に連結されており、他端がノズル基部４１ａに一体的に連結されている。この構成により、ノズル部４１は、その軸方向及び該軸方向と交差する方向に偏位することができる。このノズル部４１の偏位に伴ってバルブステム１４ａと連通するノズル部４１先端から内容物を噴射することができる。
また、図８（ｂ）に示したノズルボタン４０を交換することでノズル部４１の構成を変えることができ、噴射剤として圧縮ガス、液化ガスのいずれにも対応が可能である。また、噴射パターンや噴射量をコントロールすることもできる。
【００４６】
次に、エアゾール噴射装置１０の使用時について説明する。
なお、使用状態では、外装カバー１１内にエアゾール容器１４が収容されており、安全ピン３０が外され、ロックレバー２１がロック解除位置にある。
【００４７】
図９に示すように、エアゾール噴射装置１０は、操作者がグリップ１６を握って、例えば親指で押ボタン１７に押圧力Ｆ０を加えることで、押ボタン１７が初期位置Ｐ０から作動位置Ｐ１に押し下げられる。これにより、押ボタン１７下部のボタン連結部２３に回動自在に連結された作動レバー１９が第２連結ピン３６を中心に図中二点鎖線位置から実線位置に揺動する。
【００４８】
この作動レバー１９の揺動により、押圧部３５の下端部がエアゾール容器１４の容器底部１４ｂに当接した状態で、エアゾール容器１４を初期位置Ｓ０から作動位置Ｓ１まで押し下げる。この外装カバー１１内でのエアゾール容器１４の微少移動により、カバー底部４２のノズル孔４３の周縁部にノズル基部４１ａが当接した状態（図７参照）のまま、ノズルボタン４０がノズル収容部４４内を下降する。このようにノズルボタン４０のノズル部４１がエアゾール容器１４に対して相対的に偏位することにより、バルブステム１４ａが開状態となり内容物Ｅを外装カバー１１の下方へ噴射させることができる。
【００４９】
内容物としては、例えば、ピレトリン、アレスリン、トランスフルトリン、シフルトリン、エトフェンプロックス、プロフルトリン、イミプロトリン、プラレトリン、メトフルトリン、ジノテフランなどの殺虫剤、ピペロニルブトキシドなどの共力剤、天然精油、合成香料などの芳香剤、酸化チタン、シクロデキストリン、ゼオライト、無機酸金属塩など消臭剤、クロルヘキシジル、グルコン酸、イソプロピルメチルフェノールなどの抗菌剤などが挙げられる。
【００５０】
また、溶剤としては、例えば、ノルマルパラフィン、イソパラフィンなどの脂肪族炭化水素類、ベンゼン、キシレン、ナフタレンなどの芳香族炭化水素類、エタノール、プロパノールなどのアルコール類、酢酸エチル、ミリスチン酸イソプロピルなどのエステル類、ジエチルエーテル、グリコールエーテルなどのエーテル類、ブチロラクトン、シクロヘキサノンなどのケトン類、α−ピネン、リモネンなどの植物精油、ヤシ油、大豆油などの植物油及び水等が例示される。有効成分が溶剤に溶けにくい場合には界面活性剤等を添加することができる。
【００５１】
噴射剤としては、例えば、プロパン、ブタン、イソブタン、ジメチルエーテル等の液化ガス、窒素、二酸化炭素等の圧縮ガス、ＨＦＣ−１５２Ａ等の代替フロン等を挙げることができ、これらは２種以上の混合物であってもよい。噴射剤含有量は通常１０〜９０重量％、好ましくは４０〜７０重量％である。内部圧力を上げるため、窒素で加圧してもよい。
【００５２】
上述したように本実施形態のエアゾール噴射装置１０によれば、一端側に内容物を噴射するノズルボタン４０を有するエアゾール容器１４が外装カバー１１内に収容されている。外装カバー１１は、収容したエアゾール容器１４の他端近傍に操作部１５を備え、噴射操作時に外装カバー１１内に収容したエアゾール容器１４を長手方向に沿って下方へ微少移動させることで、ノズルボタン４０から内容物を噴射させる。
【００５３】
このように操作部１５がノズルボタン４０の反対側に配置されるので、下方向への噴射、特に鉛直下方への噴射の場合、エアゾール容器１４を傾ける必要がなく、外装カバー１１上端の操作部１５を持って下端のノズルボタン４０から内容物を容易に噴射させることができる。また、操作部１５がノズルボタン４０から離れているため、内容物が操作者の手指等に直接接触するようなことはない。
【００５４】
また、外装カバー１１は、操作部１５を有する第１カバー１２と、ノズルボタン４０を収容する第２カバー１３とから成り、第１カバー１２と第２カバー１３は分離自在である。これにより、第２カバー１３内にエアゾール容器１４をノズルボタン４０側から収容して、上方から第１カバー１２を被せることで、エアゾール容器１４を外装カバー１１内に収容することができる。
【００５５】
また、ノズルボタン４０は、エアゾール容器１４の上端部に取り付けられ、バルブステム１４ａを包囲して、内容物を噴射するノズル部４１を中心に有しているので、地面や床面上の害虫等の対象物に有効である。即ち、外装カバー１１の下端を対象物の真上に配置して操作部１５を操作することで、ノズルボタン４０のノズル部４１から消臭剤や駆除剤等の内容物を、操作者が立ったままの楽な姿勢で噴射することができる。
【００５６】
また、操作部１５は、第１カバー１２に配置されたグリップ１６と、噴射操作時に押下する押ボタン１７と、押ボタン１７端部に回動自在に連結され、噴射操作時にエアゾール容器１４の底部１４ｂに押圧力を加える作動レバー１９と、を備えている。したがって、噴射操作時は、操作者がグリップ１６を握って、押ボタン１７を押下することで、押ボタン１７に回動自在に連結された作動レバー１９が揺動して容器底部１４ｂに押圧力を加える。これにより、エアゾール容器１４を長手方向の第２カバー１３側に移動させ、この移動によりノズルボタン４０が作動して内容物を噴射させる。
【００５７】
具体的には、押ボタン１７は、グリップ１６の基端部内に、例えば弾性部材を介して第１カバー１２の長手方向に沿って摺動自在に配置されている。押ボタン１７の下端に作動レバー１９の一端が回動自在に連結され、他端が第１カバー１２内に回動自在に連結されている。このような連結機構により、作動レバー１９は他端を支点にして、第１カバー１２内の長手方向に沿って揺動する。この揺動時に作動レバー１９の所定部位が容器底部１４ｂに接触してエアゾール容器１４自体を移動させることができる。
【００５８】
また、グリップ１６は、押ボタン１７を移動可能に収容するボタン収容部１８を有するとともに、押ボタン１７の移動をロックするロックレバー２１を備えている。これにより、ボタン収容部１８内で押ボタン１７の安定した移動が可能となり、操作部１５のコンパクト化と操作性の向上を図ることができる。
また、グリップ１６自体にロックレバー２１を備えているので、非使用時の押ボタン１７の誤作動を確実に防止することができるとともに、ロック及びロック解除操作をスムースに行うことができる。また、ロックレバー２１は、エアゾール容器１４内の残留ガス抜きを行うときにも使用することができる。この場合、押ボタン１７を押下した状態でロックすることになる。
【００５９】
また、作動レバー１９は、容器底部１４ｂに接触して押圧力を加える押圧部３５を有しているので、確実にエアゾール容器１４を所定量だけ移動させることができる。
【００６０】
また、第２カバー１３は、ノズルボタン４０の少なくともノズル部４１を露出させるノズル孔４３と、ノズルボタン４０を位置決めするノズル収容部４４と、を有している。これにより、エアゾール容器１４を第２カバー１３内の所定位置に確実にセットすることができ、安定したエアゾール容器１４の移動に伴い良好な噴射状態を得ることができる。
【００６１】
さらに、外装カバー１１は、収容したエアゾール容器１４の移動を阻止する安全ピン３０を備えているので、外装カバー１１内に収容したエアゾール容器１４が搬送中に移動して誤噴射するのを防止できる。使用時は、この安全ピンを取り外すことで使用可能となる。
【００６２】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００６３】
本発明を特定の態様を参照して詳細に説明したが、本発明の精神と範囲を逸脱することなく様々な変更や修正を加えることができることは当業者にとって明らかである。
本出願は、2010年9月21日出願の日本特許出願（特願2010−211085）に基づくものであり、その全体が引用により援用される。また、ここに引用される全ての参照は全体として取り込まれる。
【符号の説明】
【００６４】
１０：エアゾール噴射装置、１１：外装カバー、１２：第１カバー、１３：第２カバー、１４：エアゾール容器、１４ａ：バルブステム、１４ｂ：容器底部、１５：操作部、１６：グリップ、１７：押ボタン、１８：ボタン収容部、１９：操作レバー、２１：ロックレバー（ロック機構）、３０：安全ピン、３５：押圧部、３７：係合孔、３８：係合突起、４０：ノズルボタン（噴射部）４１：ノズル部（ノズル）、４２：カバー底部、４３：ノズル孔、４４：ノズル収容部
【図１】
2012039356.tif 000003
【図２】
2012039356.tif 000004
【図３】
2012039356.tif 000005
【図４】
2012039356.tif 000006
【図５】
2012039356.tif 000007
【図６】
2012039356.tif 000008
【図７】
2012039356.tif 000009
【図８】
2012039356.tif 000010
【図９】
2012039356.tif 000011
【国際調査報告】
2012039356.tif 000012
2012039356.tif 000013
2012039356.tif 000014
2012039356.tif 000015